(57)【特許請求の範囲】
【請求項１】
支持層、導電層および光導電層を含む実質的に長方形の有機物質のフォトリセプタシートにおいて、フォトリセプタシートの第１の縁がドラムに取付けられるように適用され、そして第１の縁と相対する該フォトリセプタシートの第２の縁に沿っては光導電層および導電層が存在せず、支持層が光導電層および導電層の縁を超えて延在することを特徴とするフォトリセプタシート。
【請求項２】
請求の範囲第１項に記載のフォトリセプタシートであって、該第１の縁がドラムに挿入されるように適用されるフォトリセプタシート。
【請求項３】
請求の範囲第１項または第２項に記載の有機物質のフォトリセプタシートであって、導電層の縁が絶縁材料の層で覆われているフォトリセプタシート。
【請求項４】
請求の範囲第１項から第３項までのいずれか一項に記載のフォトリセプタシートであって、光導電層および導電層のそれぞれの縁が整合されているフォトリセプタシート。
【請求項５】
請求の範囲第１項から第４項までのいずれか一項に記載のフォトリセプタシートであって、導電層の縁が光導電層のそれぞれの縁を超えて僅かに延在しているフォトリセプタシート。
【請求項６】
請求の範囲第１項から第５項までのいずれか一項に記載のフォトリセプタシートであって、該フォトリセプタシートは面を定め、そしてフォトリセプタシートの第１の縁に隣接し且つ直角な第３の縁および第４の縁を有し、フォトリセプタシートの第２の縁は該面において第３および第４の縁に対し小さい角度で直角とは異なる方向に向いているフォトリセプタシート。
【請求項７】
請求の範囲第６項に記載のフォトリセプタシートであって、該小さい角度は１／３５以下の勾配を有するフォトリセプタシート。
【請求項８】
請求の範囲第１項から第７項までのいずれか一項に記載のフォトリセプタシートであって、該シートの第１の縁に沿っては光導電層が存在せず、導電層が露出されて導電面部分を形成しているフォトリセプタシート。
【請求項９】
請求の範囲第８項に記載のフォトリセプタシートであって、導電面部分が該シートの第１の縁だけに沿って存在するフォトリセプタシート。
【請求項１０】
請求の範囲第１項から第９項までのいずれか一項に記載のフォトリセプダシートであって、支持層だけが該シートの第２の縁だけに沿って導電層および光導電層を超えて延在しているフォトリセプタシート。
【請求項１１】
請求の範囲第１項から第１０項までのいずれか一項に記載のフォトリセプタシートであって、光導電層および導電層とは反対側の支持層側に支持層に隣接する防塵マスク層をさらに含むフォトリセプタシート。
【請求項１２】
支持層、そして該支持層の一方の側に導電層および光導電層を含む実質的に長方形の有機物質のフォトリセプタシートにおいて、
光導電層および導電層と反対側の支持層の側に支持層に隣接する防塵マスク層をさらに含み、ここで該防塵マスク層が該防塵マスク層の縁だけに沿って支持層に取付けられていることを特徴とするフォトリセプタシート。
【請求項１３】
請求の範囲第１１項に記載のフォトリセプタシートであって、防塵マスク層がフォトリセプタシートにフォトリセプタシートの第１の縁に隣接して取付けられているフォトリセプタシート。
【請求項１４】
請求の範囲第１１項または第１３項に記載のフォトリセプタシートであって、防塵マスク層がフォトリセプタシートにフォトリセプタシートの第１の縁と隣接し且つ該第１の縁からずれて取付けられているフォトリセプタシート。
【請求項１５】
請求の範囲第１１項から第１４項までのいずれか一項に記載のフォトリセプタシートであって、防塵マスク層が紙層であるフォトリセプタシート。
【請求項１６】
請求の範囲第１１項、第１３項または第１４項のいずれか一項に記載のフォトリセプタシートであって、防塵マスク層が該防塵マスク層の縁だけに沿って支持層に取付けられたフォトリセプタシート。
【請求項１７】
像形成装置であって、
支持層、導電層および光導電層を含む実質的に長方形の有機物質のフォトリセプタシートで、該シートの第１の縁に沿って露出された導電面部分が配置されたフォトリセプタシートと、
長手方向のキャビティが形成されたドラムで、該キャビティと該ドラムの円筒面との間にスロットが形成され、該スロットの中にフォトリセプタシートの一つの縁が挿入されているドラムと、
キャビティ内に配置されており、ロッキング位置にてシートをキャビティ壁面に押圧して、フォトリセプタシートを固定状に且つ取外し可能に所定位置に保持し、そして導電層とドラムの少なくとも一部との間で電気接続を提供する回転部材とを含むことを特徴とする像形成装置。
【請求項１８】
請求の範囲第１７項に記載の装置であって、導電面部分が導電層の露出された部分であり、光導電層が存在しない像形成装置。
【請求項１９】
請求の範囲第１７項または第１８項に記載の装置であって、導電面部分がキャビティ壁面に押圧される像形成装置。
【請求項２０】
請求の範囲第１７項または第１８項に記載の装置であって、導電面部分が回転部材に押圧される像形成装置。
【請求項２１】
請求の範囲第１７項から第２０項までのいずれか一項に記載の装置であって、ドラムが実質的に接地電位である像形成装置。
【請求項２２】
請求の範囲第１７項から第２１項までのいずれか一項に記載の装置であって、フォトリセプタシートの一部分において、前記第１の縁と反対側の該シートの第２縁に沿って光導電層および導電層の両方が存在せず、フォトリセプタシートの前記部分がスロットに重なる像形成装置。
【請求項２３】
請求の範囲第１７項から第２２項までのいずれか一項に記載の装置であって、帯電可能なフォトリセプタ装置が支持層とドラムとの間に防塵マスク層を含む像形成装置。
【請求項２４】
請求の範囲第２３項に記載の装置であって、防塵マスク層がスロットに隣接して支持層に取付けられた像形成装置。
【請求項２５】
請求の範囲第１７項から第２４項までのいずれか一項に記載の装置であって、フォトリセプタシートが請求の範囲第１項から第１６項までのいずれか一項に記載のフォトリセプタシートを含む像形成装置。
【請求項２６】
請求の範囲第１７項から第２５項までのいずれか一項に記載の装置であって、該フォトリセプタシートの第１の縁だけが露出された導電面部分を有している像形成装置。
【発明の詳細な説明】
発明の分野
本発明は、シート型フォトリセプタ（sheet type photoreceptor:光受容体）を使用した静電像形成技術に特に使用される像形成および像転写装置に関する。
発明の背景
トナー像形成に使用される有機物質のフォトリセプタ材料は良く知られている。或る種の装置において、有機物質のフォトリセプタがドラムまたは無端ベルトを被覆し、その上に静電潜像が形成される。他の装置では、フォトリセプタ物質のシートがドラム上に取付けられて同様機能を果すようになされる。
発明の概要
本発明は、第１の局面において、新しいシート型のフォトリセプタを使用した改良された像形成装置を提供しようとするものである。
本発明はさらに、第２の局面において、そのような装置に使用される改良されたシート型フォトリセプタを提供しようとするものである。
このようして、本発明の好ましい実施例によれば、
支持層、導電層および光導電層を含む実質的に長方形の有機物質のフォトリセプタシートであって、露出された導電面部分、好ましくは導電層の露出部分が該シートの一つの縁に沿って配置されたフォトリセプタシートと、
長手方向のキャビティ（空洞）が形成されたドラムであって、該キャビティと該ドラムの円筒面との間にスロット（細長孔）が形成され、該スロットの中にフォトリセプタシートの一つの縁が挿入されているドラムと、
キャビティ内に配置されており、ロッキング（錠止）位置にてシート、好ましくはその導電面部分をキャビティ壁面に押圧して、フォトリセプタシートを固定状に且つ取外し可能に所定位置に保持する回転部材とを含む像形成装置が提供される。
代替例では、導電面部分は回転部材に対して押圧される。
本発明の好ましい実施例では、ドラムは実質的に接地電位とされる。
本発明の好ましい実施例において、前述の一つの縁と反対側の第２の縁に沿ってフォトリセプタシートの一部分には光導電層および導電層が両方とも存在せず、またフォトリセプタシートの該一部分は前記スロットに重ねられる。
帯電可能なフォトリセプタは、紙製であるのが好ましい防塵マスク層を支持層とドラムとの間に含むことが好ましい。吸塵部材が紙層の縁に沿ってだけ、好ましくはスロットに隣接させて、支持層に取付けられるのが好ましい。
本発明の好ましい実施例によれば、支持層、導電層および光導電層を含み、一つの縁に沿って光導電層が存在せずに導電層を露出させた実質的に長方形の有機フォトリセプタシートがさらに提供される。
本発明の好ましい実施例によれば、支持層、導電層および光導電層を含み、一つの縁に沿って露出された導電面部分が存在する実質的に長方形の有機フォトリセプタシートがさらに提供される。
この一つの縁と反対側の第２の縁に沿って、光導電層および導電層が両方とも存在しないことが好ましい。
フォトリセプタシートは、紙製であるのが好ましい防塵マスク層を支持層の近くに含んでいることが好ましい。吸塵部材はその一つの縁にだけ沿って、好ましくは露出された導電層の縁に隣接して支持層に取付けられるのが好ましい。
本発明の好ましい実施例によれば、支持層、導電層および光導電層を含み、一つの縁に沿って光導電層および導電層が存在しない実質的に長方形の有機フォトリセプタシートがさらに提供される。
このフォトリセプタシートは、紙製であるのが好ましい防塵マスク層を支持層の近くに含むことが好ましい。吸塵部材がその一つの縁だけに沿って支持層に取付けられることが好ましい。防塵マスク層は、光導電層および導電層が存在されていないフォトリセプタの一つの縁と反対側の縁に隣接し且つそれから変位して取付けられることが好ましい。
本発明のさらに好ましい実施例によれば、支持層、導電層および光導電層を含み、支持層の一つの縁が光導電層の一つの縁を超え、さらに導電層の一つの縁を超えて延在し、また導電層の縁が実質的に絶縁材料の層で被覆されている実質的に長方形の有機フォトリセプタシートがさらに備えられる。
絶縁材料は、誘電材料を含むことが好ましい。本発明の好ましい実施例では、絶縁材料はフミシール（HumiSeal）型式１Ａ２４を含む。
本発明の好ましい実施例では、光導電層および導電層のそれぞれの縁は実質的に整合される。これに代えて、本発明の好ましい実施例によれば、導電層の縁は光導電層のそれぞれの縁を僅かに超えて延在する。
【図面の簡単な説明】
本発明は、添付図面に関連した以下の詳細な説明により、さらに十分に理解し認識されるであろう。図面において、
第１Ａ図および第１Ｂ図は、本発明の好ましい実施例によるフォトリセプタを取付ける方法を示す、フォトリセプタが取付けられるドラムのそれぞれ簡略化された全体的な、および拡大された部分的な横断面図である。
第１Ｃ図および第１Ｄ図は、それぞれ開放状態およびグリッピング（把握）状態におけるフォトリセプタの代替取付け方法を示す。
第２Ａ図および第２Ｂ図はそれぞれ、本発明の好ましい実施例によるフォトリセプタの頂面図および側面図である。
第２Ｃ図および第２Ｄ図は、第２Ａ図および第２Ｂ図のフォトリセプタの部分横断面図である。
第２Ｅ図は、本発明の他の好ましい実施例によるフォトリセプタの部分的な側断面図である。
第３Ａ図および第３Ｂ図はそれぞれ、本発明の他の好ましい実施例による、縁が絶縁された２つの形式のフォトリセプタの部分的な側断面図である。
第４Ａ図、第４Ｂ図および第４Ｃ図はそれぞれ、第３Ａ図の縁が絶縁されたフォトリセプタを形成する好適方法における三つの段階を示す側面図、頂面図および側面図である。
好ましい実施例の詳細な説明
新規なフォトリセプタシート１２、およびドラム１０にそのシートを取付ける装置および方法が、第１Ａ図から第１Ｄ図および第２Ａ図から第２Ｄ図に示されている。
フォトリセプタシート１２は、第１Ａ図および第１Ｂ図、または第１Ｃ図および第１Ｄ図に示された機構を使用してドラム１０に取付けられるのが好ましい。第１Ｂ図に最も明瞭に示されるように、光導電シートの一端は、ドラム１０に形成されたキャビティ（空洞）１４２への入口を成すスロット（細長孔）１４０に挿入されている。キャビティ内に配置された偏心円筒カム１４４は二つの位置の一方へ向かって回転できる。第１Ｂ図に点線で示された第１位置にカムがある状態において、フォトリセプタをスロット内を通してカムとキャビティ１４２の壁面との間に挿入できる。フォトリセプタが第１Ｂ図の状態とされた後、カム１４４は実線で示す位置へ回転され、これによりカムはフォトリセプタに対して押圧され、ドラムにおけるこの所定位置に保持される。
第１Ｃ図および第１Ｄ図は回転部材２０を示しており、この回転部材２０は、該回転部材に取付けられた一列の、ドラムの外部へ向けたばねフィンガのような、弾性部材２２を有している。回転部材が第１Ｃ図に示される開放位置にあるときに、フォトリセプタは弾性部材２２を超えてスロット１４０に挿入されることができる。弾性部材２２はフォトリセプタの挿入縁を位置１４１へ導き、これがフォトリセプタが回転方向に対して曲がらずに位置決めされることを保証するように作用することが好ましい。
回転部材が第１Ｄ図に示されるように回されると、弾性フィンガはフォトリセプタに押圧されてキャビティ１４２の外壁に対してフォトリセプタをしっかりと保持する。
第１Ａ図から第１Ｄ図に示される方法によって取付けるのが特に好適なフォトリセプタシート１２の好ましい実施例が、第２Ａ図から第２Ｄ図に示されている。
フォトリセプタシート１２は特定の形状を与えられたフォトリセプタと、取付けられた紙、またはゴムのような他の防塵被覆材料のシートとで本質的に構成される。第２Ｂ図から第２Ｄ図に明瞭に示されるように、フォトリセプタシート１２の中央部分１５０は４つの層、すなわち第２Ｂ図から第２Ｄ図で最下位置に示された、ドラム１０と接触する紙層１５１と、紙層に隣接して取付けられるのが好ましいが、全面にわたって取付けられないのが好適であるマイラーなどの支持層１５２と、支持層に重ねられた導電層１５４と、導電層に重ねられた光導電層１５６とで構成されている。一般に、光導電層は電荷移動層と、電荷発生層とを有する。しかしながら、本明細書ではこれらの層を説明の簡略化のために「光導電層」と称する。何故なら、単数または複数の光導電層の正確な構造は本発明の一部を構成するものではないからである。好ましいフォトリセプタは、例えばエメラルド２（レックスマーク社により製造されている）である。これを液体トナーとともに使用する場合にフォトリセプタの相容性を改善するために、光導電部材は米国特許出願第０７／９４６，４１１号に対応するＰＣＴ出願公開ＷＯ９１／１７４８５に明記された処理法の一つで処理されることが好ましく、その開示技術は参照することで本明細書に組入れられる。
一般に、これらの出願は幾つかの処理法を記載している。或る処理法においては、フォトリセプタシートは光導電面を外方へ向けてドラムに取付けられる。シートは、支持層から光導電層を取外すことなく光導電層を応力解放する熱処理を施される。そしてフォトリセプタは、ドラムから取外すことなく冷却される。フォトリセプタがドラムから取外されると、光導電層は圧縮状態に、また支持層は引張状態になる。
第２の処理法においては、フォトリセプタシートは張力を加えられて、光導電層は応力解除されるが支持層は応力解除されない温度にまで、加熱される。シートは冷却された後、張力が解放される。この処理もまたフォトリセプタシートにおいて光導電層が圧縮状態となり、支持層が引張状態となる結果を生じる。
第３の処理法においては、光導電層の面が化学処理されて該層を応力解除し、またそれまで以上に該層を柔軟ないし弾性にする。シクロヘキサノンのような材料が光導電層の化学処理に使用されることが好ましい。
第１Ｂ図から第１Ｄ図において留意すべきは、フォトリセプタシート１２の縁まで全ての層が延在しているわけではないことである。特に、第１Ｂ図から第１Ｄ図に示されるように、スロット１４０に挿入されたシート縁（シートの「前端縁」）は２つの層だけ、すなわち支持層１５２および導電層１５４だけを有していることである。これは、カム１４４または部材２２によりキャビティ１４０の内面に対して押圧されるとき、導電層がキャビティ壁面と良好に電気接続することを保証する。これは、支持層および紙層が導電性でない場合であっても導電層の接地の便宜を与える。
これに代えて、フォトリセプタは導電層、およびキャビティ壁面または弾性部材２２の一方または両方と電気接続される導電縁を備えることができる。
上述したように、紙層はフォトリセプタの全長にわたって支持層の背面に取付けられていない。しかしながら、本発明の好ましい実施例において、紙はフォトリセプタの前端縁の近くにおいて、紙の縁すなわち符号１５８で示された縁で支持層に取付けられる。防塵マスク層としての紙層の機能は、ドラム上にある（またはフォトリセプタと紙との間にあるかもしれない）塵または異物粒子がフォトリセプタ面に圧力点を生じて像形成処理に影響を及すような結果を軽減することである。紙層の最適厚さは、上述した特定のフォトリセプタに関して約５０ミクロメータから３００ミクロメータの間であることが判っており、ノードランド・ウッドツリー（Nordland Woodtree）の未被覆ホワイトボンドプリンテングペーパー（１２０ｇ／m2、＝１５０ミメロメータ厚で、ドイツ国のノードランド社製）ようなオープンウィーヴペーパー（open weave paper）が好ましい。
第２Ｄ図に詳細に示されているフォトリセプタの他縁（その後端縁）は、支持層だけを含むことが好ましく、また第１Ｂ図から第１Ｄ図に示されるように、支持層の延長部はスロット１４０に重なるように十分に長くされ、液体トナーがキャビティ１４２に侵入するのを防止する。さらに、ドラム１０の外面はスロット１４０の近く（符号１６０の位置）で斜面を形成し、これによりフォトリセプタとそれが接触する面との間の接触が滑らかであるように、すなわちドラムと、フォトリセプタと、もし設けられているならば重なる後端縁との全体的な直径がドラムの角度位置に無関係に保持されるようになされる。
支持層以外の全ての層は後端縁から除去されて、主として、静電像形成装置に通常設けられているスコロトロンのような帯電装置に導電面が触れる機会を排除する。接地された導電層１５４がフォトリセプタシートの後端縁に存在しないことから、フォトリセプタシートが作動使用状態にあるときは、ほぼ誘電性の支持層１５２が後端縁で一定に帯電されたままである。これによってドラム１０とフォトリセプタシート１２との間に静電気的な吸引力が発生して、ドラム１０に対するフォトリセプタシート１２の付着を助成する。作動時のフォトリセプタシート１２に生じ得る長さ変動を考慮して、フォトリセプタシート１２は前端縁を除いて、一般に機械的手段によってドラム１０に付着されることはない。フォトリセプタシート１２の誘電性の後端縁で与えられる静電気力は、該シート１２とドラム１０との間に円周方向の相対移動を許容する。
最後に、フォトリセプタが他方の面に押圧されるならば、フォトリセプタの後端縁は直角（square）に対して約１／３５勾配の、小さな角度で切断される。この角度は、次の像形成サイクルに先だって未転写トナーをフォトリセプタから除去するのに用いるクリーナーブレードに対して、その縁における滑らかな接触通過を行わせるためのものである。直角に切断した縁を有するか、或いは小さな角度で切断した一方または両方の縁を有するフォトリセプタシートは、この明細書では「実質的に長方形」のフォトリセプタシートと称する。全ての縁および通過部は、ギザギザの縁がなくて滑らかであることが好ましい。
明瞭にするために、フォトリセプタシートの重なり縁は第１Ｃ図および第１Ｄ図には示されていない。
フォトリセプタの前端縁および後端縁の寸法は、特定の応用例に適合するように変化することができる。フォトリセプタの前端縁の導電縁（スロット１４０に挿入されている）は約１３ｍｍ幅で、後端縁（重なり合わされる）は約２０ｍｍ幅であることが好ましいと判明している。
参照のために、ドラム１０の回転方向が矢印１６２で示されている。
以下に詳述する理由で起こり得る電圧破壊を回避するために、光導電層１５６の後端縁は導電層１５４の後端縁を超えて延在すること、または少なくとも、２つの縁が第２Ｄ図に示されるように実質的に整合されることが一般に必要である。具合の悪いことに、後端縁のこれらの所望構造は実現が極めて困難であると判明している。第２Ｅ図は代替の、さらに実用的なフォトリセプタシート１２の後端縁の実施例を示しており、ここでは導電層１５４が光導電層１５６を僅かに超えて延在している。
上述のフォトリセプタシート１２はいずれの周知の静電式像形成装置にも使用できる。しかしながら、本発明の好ましい実施例では、液体トナー像形成装置が使用されており、これは１９９５年１月１１日付で出願された米国特許出願第０８／３７１１１７号に記載の形式のものが好ましく、この特許出願の開示技術は参照することで本明細書に組入れられる。そのような像形成装置では、電気的なバイアススキージローラー（図示せず）が使用されて、フォトリセプタ面に現像された液体トナー層をスキージング（squeegeeing:押しぬぐい）する。このスキージローラーは典型的には電気的にバイアスされており、好ましくは１３００から１６００ボルトの負電圧にバイアスされ、予め定められた圧力、典型的にはスキージローラーの長さに沿って１センチメートル当り約９０グラムでフォトリセプタに押圧される。これによって、フォトリセプタ上の液体トナーの層に電気的および機械的の両方でスキージングを行う。
スキージローラーと、上述のように典型的には接地されるフォトリセプタシート１２の導電層１５４との間の大きな電位差が導電層１５４の後端縁に電気的破壊を生じることが判明している。電圧破壊は、スキージローラーと導電層１５４の後端縁との間の実際の接触時に、またはスキージローラーと導電層との間の放電によって生じ得る。導電層１５４の縁とスキージローラーとの間の実際の接触は、第２Ｅ図の実施例では特に生じ得る。これはほぼ剛性のスキージローラーで押圧される際の、ほぼ弾性のフォトリセプタシート１２の僅かなコンプライアンスすなわち柔軟性による。
上述した破壊は、フォトリセプタ面１２およびスキージローラーの両方に次第に蓄積される劣化を生じる。その結果、スキージローラーに対する累積損傷が像形成装置の性能低下を引き起す。これはフォトリセプタ面に対する液体トナーのスキージングが効果的に行えなくなり、均一性も損われることになるからである。したがって、本発明の好ましい実施例では、導電層１５４の後端縁は以下に詳細に説明するように破壊を防止するために絶縁される。導電層１５４の後端縁の絶縁は、光導電層１５６の後端縁が導電層１５４の後端縁を超えて延在している、望ましいが容易に実施できない構造（図示されていない）においても好ましいということに留意すべきである。
第３Ａ図および第３Ｂ図は、第２Ｄ図および第２Ｅ図に示された２つの形式の後端縁に似た、２つの形式の後端縁をそれぞれ概略的に示す。これらの導電層１５４は、本発明の好ましい実施例によればそれぞれ縁１７０，１７２で電気的に絶縁されている。この好ましい実施例によれば、好ましくは誘電性の絶縁材料の層１７５が後端縁１７０（第３Ａ図）または後端縁１７２（第３Ｂ図）に適用されて、その箇所における電気的破壊を防止している。縁１７０または縁１７２を完全に覆うことを保証するために、層１７５は縁１７０または１７２を僅かに超えて光導電層１５６および支持層１５２上を延在するのが好ましい。光導電層１５６の上の層１７５の延在部が符号１７６で示されている。ドクターブレードのようなスクレーパを使用した像形成装置では、この延在部１７６はスクレーパを破損するのを防止するために一般に極めて薄く作られるのが好ましい。これは、そのような像形成装置に使用されるスクレーパが一般に、掻き落し方向の突起に対して非常に敏感だからである。
本発明の好ましい実施例では、絶縁層１７５はフミシール（HumiSeal）の型式１Ａ２４であるビニル改質エポキシをベースにした誘電材料により形成され、この材料は米国ニューヨーク州コロンビア・チェイス・コーポレーション社から購入できる。この絶縁材料は重量で２０から２４％の固体濃度と、１００から１３０センチポアズの粘性で提供され、乾燥／取扱い時間は１５分で、室温で２４時間の推奨硬化時間である。この材料は例えばアセトンを使用して薄められ、適用方法に応じて材料の粘性を調整することができる。硬化した層はほぼ透明であり、接着性が強く、非常に可撓性で、各種の温度および湿度条件に対して非常に耐久性がある。硬化した層は約３９００ボルトの耐電圧の誘電性を有し、１ＭＨｚおよび２５℃における比誘電率は約２．８８で、０．００２の損失係数、約３５０，０００，０００メグオームの絶縁抵抗および約３０，０００メグオームの耐湿性を有する。この材料は、溶剤および各種の化学薬品に対しても高い耐性を有する。
フミシール（HumiSeal）型式１Ａ２４を使用することが好ましいが、層１７５は他の適当な誘電材料でも形成することができる。例えば、層１７５はフミシール（HumiSeal）型式１Ａ３３や、ポリウレタンをベースにした誘電材料で形成することができ、あるいは１９９５年１月１１日付で出願された米国特許出願第０８／３７１１１７号に記載されているように、該層はポリビニルをベースとした材料（８８％水分解されている）で形成されることができ、この特許出願の開示技術は参照することで本明細書に組入れられる。
ここで第４Ａ図から第４Ｃ図を参照すれば、これらの図面は計量ブラッシング（metered brushing）により縁１７０に層１７５を付与する好ましい方法を概略的に示している。フォトリセプタシート１２が第２Ｅ図のように構成されているならば、同じ付与方法が層１７５を縁１７２に付与するためにも使用できるということを認識しなければならない。第４Ａ図から第４Ｃ図の方法は有効であると判っているが、スプレー塗布または浸漬付着（dipping）のような他の付与方法も適当であることを認識しなければならない。
第４Ａ図は計量付与方法における第１段階を示しており、ここでは絶縁材料の一連の液滴が付与ブレード１７７の面に沿って、導電層１５４の縁１７０に近い支持層１５２の部分へ導かれる。液滴１７８は約３〜４ミリメートルの間隔を隔てて縁１７０から隔てられることが好ましい。層１５２上に縁１７０と平行に形成された一連の液滴が第４Ｂ図に示されている。フォトリセプタシート１２は、紙などで作られるのが好ましい着脱可能な基部層上に配置されることが好適であり、この基部層は少なくとも符号１７９で示される部分がフォトリセプタシート１２を超えて延在している。これは、絶縁材料の少なくとも一つの液滴をフォトリセプタシート１２の境界の外側に付与できるようにして、以下に説明されるブラッシングによって縁１７０を完全に覆うようにさせる。
第４Ｃ図は好ましいブラッシング技術を示しており、弾性材料で形成されるのが好ましいブラッシングシート１８０の滑らかで真っ直ぐな縁がフォトリセプタシート１２に押圧されて縁１７０に沿ってブラッシング動作をしつつ移動される。ブラッシングシート１８０は、適当な弾性と表面の滑らかさを備えた適当なゴムまたはプラスチック材料で形成できる。本発明の好ましい実施例では、ブラッシングシート１８０は米国特許出願第０８／３７１１１７号に記載された中間移動ブランケットに使用される材料で形成されており、その開示技術は参照することで本明細書に組入れられる。第４Ｂ図に示された液滴１７８の形状においては、ブラッシング動作は、フォトリセプタシート１２の外側の領域１７９から始めて、頂部から底部へ向けて行われる。
縁１７０を完全に覆うことを保証するために、液滴１７８の絶縁材料の全量は、少なくとも層１５４，１５６の後端縁と、突出した層１５２と、ブラッシングシート１８０の動作で形成されるブラッシング面とによって囲まれた容積に等しくされる。ブラッシングシート１８０の縁の弾性は、縁１７０に対する絶縁層１７５の間隙の無い付与を保証し、層１７５の延長部１７６の厚さを最少限に保持する。
当業者には、本発明が上述した説明および与えられた例によって限定されないことを認識するであろう。むしろ、本発明の範囲は以下の請求の範囲によってのみ定義される。
【図１Ａ】
0004101288.tif 000002
【図１Ｂ】
0004101288.tif 000003
【図１Ｃ】
0004101288.tif 000004
【図１Ｄ】
0004101288.tif 000005
【図２Ａ】
0004101288.tif 000006
【図２Ｂ】
0004101288.tif 000007
【図２Ｃ】
0004101288.tif 000008
【図２Ｄ】
0004101288.tif 000009
【図２Ｅ】
0004101288.tif 000010
【図３Ａ】
0004101288.tif 000011
【図３Ｂ】
0004101288.tif 000012
【図４Ａ】
0004101288.tif 000013
【図４Ｂ】
0004101288.tif 000014
【図４Ｃ】
0004101288.tif 000015